(57)【要約】【課題】より低コストで断熱性能を向上させることができるブラインドを提供する。【解決手段】複数のプリーツ１３１が畳み込み及び展開可能に上下方向に形成される第１スクリーン１３と、第１スクリーンの後方に配置され、複数のプリーツ１４１が畳み込み及び展開可能に上下方向に形成される第２スクリーン１４と、第１スクリーン及び第２スクリーンの下端を固定するレール１５と、レールを吊り下げ可能に支持する昇降コード１６とを備え、第１スクリーンは後方に突出する突出部の頂点近傍に昇降コードを挿通する挿通孔１３１ａが形成され、第２スクリーンは前方に突出する突出部の頂点近傍に昇降コードを挿通する挿通孔１４１ａが形成されることを特徴とする。【選択図】図２
2015124531.tif 000002
【特許請求の範囲】
【請求項１】
複数のプリーツ（１３１，３３１）が畳み込み及び展開可能に上下方向に形成される第１スクリーン（１３，３３）と、
前記第１スクリーンの後方に配置され、複数のプリーツ（１４１，２４１）が畳み込み及び展開可能に上下方向に形成される第２スクリーン（１４，２４）と、
前記第１スクリーン及び前記第２スクリーンの下端を固定するレール（１５）と、
前記レールを吊り下げ可能に支持する昇降コード（１６）とを備え、
前記第１スクリーンは後方に突出する突出部の頂点近傍に前記昇降コードを挿通する挿通孔（１３１ａ，３３１ａ）が形成され、前記第２スクリーンは前方に突出する突出部の頂点近傍に前記昇降コードを挿通する挿通孔（１４１ａ，２４１ａ）が形成されることを特徴とするブラインド。
【請求項２】
前記第１スクリーン及び前記第２スクリーンは、前記第１スクリーンにおける前記後方に突出する突出部の一部が前記第２スクリーンにおける前記前方に突出する突出部の一部の直上に重なるように配置されることを特徴とする請求項１に記載のブラインド。
【請求項３】
前記第２スクリーンの複数のプリーツ間のピッチを保持するピッチコード（１７）を更に備えることを特徴とする請求項２に記載のブラインド。
【請求項４】
前記第１スクリーン（１３）における複数のプリーツ（１３１）それぞれのピッチと、前記第２スクリーン（１４）における複数のプリーツ（１４１）それぞれのピッチとが同一であることを特徴とする請求項１〜請求項３のいずれか１項に記載のブラインド。
【請求項５】
前記第２スクリーン（２４）における複数のプリーツ（２４１）それぞれのピッチは、前記第１スクリーンにおける複数のプリーツ（１３１）それぞれのピッチよりも小さいことを特徴とする請求項１〜請求項３のいずれか１項に記載のブラインド。
【請求項６】
前記第１スクリーン（３３）における後方に突出する突出部を形成するプリーツ（３３１）の片同士は、該突出部の頂点から所定幅まで接着されることを特徴とする請求項１〜請求項４のいずれか１項に記載のブラインド。
【発明の詳細な説明】
【技術分野】
【０００１】
本発明は、複数のプリーツが上下方向に畳み込み・展開可能に形成されるスクリーンを備えたブラインドに関する。
【背景技術】
【０００２】
従来、複数のプリーツが上下方向に設けられたスクリーンを前後に２枚配置することにより、これらのスクリーン間に空間（セル部）を形成したブラインドが知られている。このようなブラインドによれば、上下方向に連なる複数のセル部によってスクリーン前方と後方との間に空気層が形成され、ブラインドによる断熱性能を高めることができる。
【０００３】
また、このようなブラインドとして、プリーツの一側の山頂部を所定幅にて長手方向へ連続接着してリブ部を設けてプリーツ成形体を形成し、リブ部の共通位置にガイド穴をそれぞれ設け、これらガイド穴に昇降用または支持用のコードを貫通させてプリーツ成形体を伸縮可能に懸架するプリーツスクリーンが知られている（特許文献１参照）。
【先行技術文献】
【特許文献】
【０００４】
【特許文献１】特開平２−１９７６８４号公報
【発明の概要】
【発明が解決しようとする課題】
【０００５】
しかしながら、特許文献１に記載されたプリーツスクリーンによれば、前後のスクリーンそれぞれに長手方向全長にわたってリブ部を設けることにより、加工工程が多くなりコストが増大する、という問題があった。
【０００６】
そこで、本発明は、このような問題に鑑みてなされたもので、その目的とするところは、より低コストで断熱性能を向上させることができるブラインドを提供することにある。
【課題を解決するための手段】
【０００７】
上記課題を解決するために、本実施形態におけるブラインドは、複数のプリーツが畳み込み及び展開可能に上下方向に形成される第１スクリーンと、前記第１スクリーンの後方に配置され、複数のプリーツが畳み込み及び展開可能に上下方向に形成される第２スクリーンと、前記第１スクリーン及び前記第２スクリーンの下端を固定するレールと、前記レールを吊り下げ可能に支持する昇降コードとを備え、前記第１スクリーンは後方に突出する突出部の頂点近傍に前記昇降コードを挿通する挿通孔が形成され、前記第２スクリーンは前方に突出する突出部の頂点近傍に前記昇降コードを挿通する挿通孔が形成されることを特徴とする。
【発明の効果】
【０００８】
本発明によれば、より低コストで断熱性能を向上させることができる。
【図面の簡単な説明】
【０００９】
【図１】第１の実施形態に係るブラインドの正面図である。
【図２】第１の実施形態に係るブラインドの側断面図である。
【図３】第１スクリーン及び第２スクリーンの構成を示す断面図である。
【図４】第１スクリーン、第２スクリーン及び昇降コードの構成を示す断面図である。
【図５】スクリーンを展開した状態を示す側面模式図である。
【図６】スクリーンの一部を畳み込んだ状態を示す側面模式図である。
【図７】第２の実施形態に係るブラインドの第１スクリーン、第２スクリーン及び昇降コードの構成を示す側断面図である。
【図８】第３の実施形態に係るブラインドの第１スクリーン、第２スクリーン及び昇降コードの構成を示す側断面図である。
【発明を実施するための形態】
【００１０】
以下に添付図面を参照しながら、本発明の好適な実施形態について詳細に説明する。なお、本明細書及び図面において、実質的に同一の機能を有する構成要素については、同一の符号を付することにより重複説明を省略する。
【００１１】
＜第１の実施形態＞
（ブラインドの構成）
まず、第１の実施形態に係るブラインドの構成について、図１及び図２を参照しながら説明する。図１は、第１の実施形態に係るブラインドの正面図である。図２は、第１の実施形態に係るブラインドの側断面図である。なお、以降の説明において、ブラインドの長手方向を側方、ブラインドを側方から見た場合に、昇降コードに対するピッチコード側を後方、その逆を前方として説明する。
【００１２】
図１及び図２に示すように、第１の実施形態に係るブラインド１は、前後２つのスクリーンを用いて１段式に構成され、ブラケット１１、ヘッドボックス１２、第1スクリーン１３、第２スクリーン１４、ボトムレール１５、昇降コード１６、ピッチコード１７、駆動装置１９を備える。
【００１３】
ヘッドボックス１２は、長尺な箱型に構成される部材であり、その外壁における下側後方にピッチコード１７の上端を固定するピッチコード固定部１２ａが形成され、内部に駆動装置１９が内蔵される。また、ヘッドボックス１２は、その下面に昇降コード１６を挿通する挿通孔１２１ａが形成された固定部材１２１を備え、この固定部材１２１と第１スクリーン１３及び第２スクリーン１４をステップル等を用いて連結し、固定部材１２１をヘッドボックス１２の下部の取付空間に挿入することによって、ヘッドボックス１２の下部に長手方向全長にわたって第１スクリーン１３及び第２スクリーン１４の上端が連結される。なお、この連結において、第１スクリーン１３の上端はヘッドボックス１２の前方側に連結され、第２スクリーン１４の上端は後方側に連結される。また、ヘッドボックス１２は、その上部がブラインド１を窓枠に固定するための部材であるブラケット１１に取り付けられる。
【００１４】
第１スクリーン１３は、複数のプリーツ１３１が上下方向に畳み込み・展開可能に連結されたものであり、複数のプリーツ１３１のそれぞれには、昇降コード１６を挿通する挿通孔１３１ａが形成される。
【００１５】
第２スクリーン１４は、複数のプリーツ１４１が上下方向に畳み込み・展開可能に連結されたものであり、複数のプリーツ１４１のそれぞれには、昇降コード１６を挿通する挿通孔１４１ａが形成される。なお、複数のプリーツ１４１それぞれのピッチは、第１スクリーン１３の複数のプリーツ１３１のそれぞれと同一に構成される。
【００１６】
ボトムレール１５は、長尺な直方体状の部材であり、その上面側に設けられる固定部材１５１と、その内部に設けられるコードホルダ１５２とを備える。固定部材１５１には、昇降コード１６を挿通する挿通孔１５１ａが形成され、前方側において、この固定部材１５１に第１スクリーン１３及び第２スクリーン１４の下端をステップル等を用いて連結し、固定部材１５１をボトムレール１５の上部の取付空間に挿入することによって、ボトムレール１５の上部にその長手方向全長にわたって第１スクリーン１３及び第２スクリーン１４の下端が連結される。このように、第１スクリーン１３及び第２スクリーン１４によってヘッドボックス１２とボトムレール１５とが連結される。なお、この連結において、第１スクリーン１３の下端はボトムレール１５の前方側に連結され、第２スクリーン１４の下端は後方側に連結される。
【００１７】
昇降コード１６は、一端がヘッドボックス１２内の駆動装置１９に連結され、他端が挿通孔１２１ａを通ってヘッドボックス１２から垂下された後、第１スクリーン１３の各プリーツ１３１の挿通孔１３１ａ、第２スクリーン１４の各プリーツの挿通孔１４１ａを交互に挿通し、ボトムレール１５の固定部材１５１の挿通孔１５１ａをそれぞれ上方から下方に向かって順次挿通されて、ボトムレール１５のコードホルダ１５２に連結される。この連結により、ボトムレール１５は昇降コード１６によって昇降可能に吊り下げ支持される。
【００１８】
ピッチコード１７は、複数のループコード１７１を備え、ヘッドボックス１２とボトムレール１５との間に配される。複数のループコード１７１のそれぞれは、第２スクリーン１４の各プリーツ１４１のそれぞれと一対一に対応し、ピッチコード１７と昇降コード１６とを連結する。また、複数のループコード１７１のそれぞれは、隣り合うループコード１７１同士が同一のピッチに保持されるように設けられ、これにより、第２スクリーン１４の展開時における複数のプリーツ１４１間のピッチが均等に保持される。また、このピッチの保持によれば、第１スクリーン１３の展開時における複数のプリーツ１３１間のピッチも保持されるが、この点については後に詳述する。
【００１９】
駆動装置１９は、回転軸１９１、巻取ドラム１９２、ストッパ１９３、ブレーキ１９４、コントロールユニット１９５、プーリ１９６、操作チェーン１９７を備える。
【００２０】
回転軸１９１は、それぞれ、ヘッドボックス１２内の前後方向略中央に設けられる。巻取ドラム１９２は、回転軸１９１により貫通されて一体的に回転可能とされている。また、巻取ドラム１９２には、ヘッドボックス１２内に導入された昇降コード１６の一端が連結される。また、連結された昇降コード１６が巻取ドラム１９２に巻き取られたり巻き解かれたりすることによりボトムレール１５が昇降する。
【００２１】
ストッパ１９３は、回転軸１９１に設けられ、この回転を拘束する。ブレーキ１９４は、回転軸１９１に設けられ、この回転を減速する。
【００２２】
コントロールユニット１９５は、ヘッドボックス１２の一端部近傍に設けられ、操作チェーン１９７の操作にしたがって、プーリ１９６により伝達された回転力を回転軸１９１に伝達する。プーリ１９６は、コントロールユニット１９５を介して回転軸１９１に回転力を伝達する。操作チェーン１９７は、プーリ１９６に巻きつけられてヘッドボックス１２から垂下され、プーリ１９６の回転駆動を操作する操作部である。
【００２３】
（スクリーンの構成）
次に、第１スクリーン、第２スクリーン及び昇降コードの構成について、その詳細を説明する。図３は、第１スクリーン及び第２スクリーンの構成を示す断面図である。図４は、第１スクリーン、第２スクリーン及び昇降コードの構成を示す断面図である。
【００２４】
図３に示すように、第１スクリーン１３の挿通孔１３１ａは、第１スクリーン１３において前後に交互に突出する複数の突出部のうち、後方側、即ち第２スクリーン１４側に突出する突出部の頂点近傍に形成される。より詳細には、図４に示すように、後方側の突出部の頂点から所定の距離だけ離れた位置を昇降コード１６が挿通するように、第１スクリーン１３の複数のプリーツ１３１それぞれにおける一片に対し、上下方向端部に１つの挿通孔１３１ａが形成される。
【００２５】
また、第２スクリーン１４の挿通孔１４１ａは、第２スクリーン１４において前後に突出する複数の突出部のうち、前方側、即ち第１スクリーン１３側に突出する突出部の頂点近傍に形成される。より詳細には、前方側の突出部の頂点から所定の距離だけ離れた位置を昇降コード１６が挿通するように、第２スクリーン１４の複数のプリーツ１４１それぞれにおける一片に対し、上下方向端部に１つの挿通孔１４１ａが形成される。ここで、前方側の突出部の頂点から挿通孔１４１ａまでの距離は、第１スクリーン１３における後方側に突出する突出部の頂点から挿通孔１３１ａまでの距離と同一とする。
【００２６】
また、第１スクリーン１３と第２スクリーン１４とは、挿通孔１４１ａが形成される第２スクリーン１４の突出部の一部に対して、挿通孔１３１ａが形成される第１スクリーン１３の突出部の一部が直上に重なるような位置関係に配置される。また、ループコード１７１は、昇降コード１６に対して、第１スクリーン１３及び第２スクリーン１４を展開した際に後方側に露出する箇所、即ち、第２スクリーン１４の同一の突出部に形成される２つの挿通孔１４１ａ間に連結される。これにより、挿通孔１４１ａが形成される第２スクリーン１４の突出部間のピッチが保持される。したがって、ブラインド１においては、ピッチコード１７が第２スクリーン１４の複数のプリーツ１４１間のピッチを保持することにより、第２スクリーン１４の突出部の一部の直上に重なる第１スクリーン１３の複数のプリーツ１３１間のピッチが保持される。つまり、第１スクリーン１３と第２スクリーン１４とに対して、個別にピッチを保持する手段を設ける必要がない。また、このように構成することにより、ブラインド１の展開状態において、第１スクリーン１３の前方に突出したプリーツ１３１と第２スクリーン１４の後方に突出したプリーツ１４１との間にセル部が形成される。
【００２７】
（ブラインドの動作）
次に、第１の実施形態に係るブラインドの動作について、図５及び図６を参照して説明する。図５は、スクリーンを展開した状態を示す側面模式図である。図６は、スクリーンの一部を畳み込んだ状態を示す側面模式図である。
【００２８】
図５に示す状態は、ボトムレール１５が下降されて、第１スクリーン１３及び第２スクリーン１４を展開した状態である。このような状態から第１スクリーン１３及び第２スクリーン１４を畳み込む場合、操作チェーン１９７を操作して回転軸１９１を所定の方向に回転させることにより、巻取ドラム１９２が昇降コード１６を巻き取り、昇降コード１６に連結されたボトムレール１５が上昇する。このボトムレール１５の上昇により、図６に示すように、第１スクリーン１３及び第２スクリーン１４は下方から畳み込まれる。
【００２９】
上述したように、第１の実施形態に係るブラインド１によれば、第１スクリーン１３と第２スクリーン１４との間には、展開した状態においてセル部が形成されて、このセル部内の空気層によって断熱性を向上させることができる。また、ブラインド１を生産するにあたって、第１スクリーン１３及び第２スクリーン１４は、従来のプリーツスクリーンで用いられるスクリーンを、その挿通孔の位置を変えることによって転用することができ、従来のセル部を形成するブラインドに比較して、コストを低減させることができる。また、畳み込んだ状態においては、第１スクリーン１３と第２スクリーン１４の畳み代の厚みは前方側と後方側とで同一となり、側方から見た場合の意匠性を損なうことがない。また、第１スクリーン１３と第２スクリーン１４とで素材や色などの組み合わせを変更することによって、ブラインド１の意匠を容易に変化させることができる。
【００３０】
＜第２の実施形態＞
第２の実施形態に係るブラインドは、第１の実施形態に係るブラインドに対して、プリーツ間のピッチが異なる。以下、第１の実施形態に係るブラインドとは異なる第２の実施形態に係るブラインドの構成について説明する。図７は、第２の実施形態に係るブラインドの第１スクリーン、第２スクリーン及び昇降コードの構成を示す側断面図である。
【００３１】
図７に示すように、第２の実施形態に係るブラインド２は、第１スクリーン１３とプリーツのピッチが同一である第２スクリーン１４に代えて、第１スクリーン１３よりプリーツ２４１のピッチが小さい第２スクリーン２４を用いる点が第１の実施形態に係るブラインド１とは異なる。このような第２スクリーン２４を用いることにより、ブラインド２を正面から見た場合の意匠上の必要性から第１スクリーン１３としてピッチが大きいものを採用した場合であっても、セル部を耐熱性に適した体積となるように形成することができ、意匠性と断熱性を両立することが可能となる。また、後方側に配置される第２スクリーン２４のプリーツ２４１のピッチが小さいため、ブラインド２を展開したときに第２スクリーンの各プリーツ２４１のプリーツ開き角度が大きくなっても、第１スクリーン１３の各プリーツ１３１のプリーツ開き角度は第２スクリーンの以下となってプリーツ開き角度が抑制されるため、ピッチコード１７を不要とすることもできる。なお、第２スクリーン２４の挿通孔２４１ａは、第２スクリーン１４の挿通孔１４１ａと同様に、第２スクリーン２４において前後に突出する複数の突出部のうち、前方側、即ち第１スクリーン１３側に突出する突出部の頂点近傍に形成される。
【００３２】
＜第３の実施形態＞
第３の実施形態に係るブラインドは、第１の実施形態に係るブラインドに対して、第１スクリーンの構成が異なる。以下、第１の実施形態に係るブラインドとは異なる第３の実施形態に係るブラインドの構成について説明する。図８は、第３の実施形態に係るブラインドの第１スクリーン、第２スクリーン及び昇降コードの構成を示す側断面図である。
【００３３】
図８に示すように、第３の実施形態に係るブラインド３は、第１スクリーン１３に代えて、第１スクリーン３３を用いる点が第１の実施形態に係るブラインド１とは異なる。この第１スクリーン３３は、後方側に突出部を形成するプリーツ３３１の片同士を、この突出部の頂点から所定幅まで長手方向全長にわたって接着させる点が、第１の実施形態における第１スクリーン１３とは異なる。この接着された部分には挿通孔３３１ａが形成される。ここで、突出部の頂点から接着される幅は、頂点から挿通孔３３１ａまでの距離以上であれば良く、これにより、ブラインド３を前方から見た場合に昇降コード１６が露出せず、したがって、ブラインド３の意匠性を向上させることができる。
【００３４】
なお、上述した第１〜第３の実施形態においては、前後に配置した第１スクリーン１３及び第２スクリーン１４を１つのスクリーンとして用いる方式のブラインドとしたが、上下に２つのスクリーンを配置した上下２段式のブラインドに適用することも可能である。その際、上部スクリーンのみ、下部スクリーンのみ、または上下２つのスクリーンに対して、それぞれ、前後に２つのスクリーンを配置する構成としてもよい。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１，２，３  ブラインド
１３，３３  第１スクリーン
１３１，３３１  プリーツ
１３１ａ，３３１ａ  挿通孔
１４，２４  第２スクリーン
１４１，２４１  プリーツ
１４１ａ，２４１ａ  挿通孔
１５  ボトムレール
１６  昇降コード
１７  ピッチコード
【図１】
2015124531.tif 000003
【図２】
2015124531.tif 000004
【図３】
2015124531.tif 000005
【図４】
2015124531.tif 000006
【図５】
2015124531.tif 000007
【図６】
2015124531.tif 000008
【図７】
2015124531.tif 000009
【図８】
2015124531.tif 000010